(57)【特許請求の範囲】
【請求項１】
洗い、すすぎ、脱水の各運転時間等を設定する入力スイッチと、この入力スイッチによって設定された内容を表示する表示手段と、前記入力スイッチを受け付けたことを知らせる報知ブザーと、電源を供給する電源入りスイッチと、前記入力スイッチの設定内容に基づき洗い、すすぎ、脱水の一連の行程を逐次制御する制御手段と、通常の運転コースとは別の特殊運転コースの許可、禁止の指示を与えるデータを記憶保持する記憶手段とを備え、前記制御手段は、前記電源入りスイッチにより通電された直後に複数の入力スイッチが同時に押されているか否かを判定し、前記複数の入力スイッチが同時に押されていると判定すると、前記記憶手段に記憶された内容が特殊運転運転コースの許可の指示を与えるデータである場合は、前記通常の運転コースとは別の特殊運転コースを運転する制御を行い、前記記憶手段に記憶された内容が特殊運転運転コースの禁止の指示を与えるデータである場合は、前記通常の運転コースを運転する制御を行うようにするとともに、通電状態において前記特殊運転コースを運転する制御で押す複数の入力スイッチとは別の組合せの複数の入力スイッチが同時に一定時間継続して押されたと判定した場合、前記記憶手段に記憶された前記特殊運転コースの許可、禁止の指示を与えるデータを、許可の場合は禁止に、禁止の場合は許可に書き換える制御を実行可能とした洗濯機の制御装置。
【請求項２】
洗い、すすぎ、脱水の各運転時間等を設定する入力スイッチと、この入力スイッチによって設定された内容を表示する表示手段と、前記入力スイッチの受付けたことを知らせる報知ブザーと、電源を供給する電源入りスイッチと、前記入力スイッチの設定内容に基づき洗い、すすぎ、脱水の一連の行程を逐次制御する制御手段と、通常の運転コースとは別の特殊運転コースの許可、禁止の指示を与えるデータを記憶保持する記憶手段とを備え、前記制御手段は、通電状態において複数の入力スイッチが同時に押された状態が一定時間継続したか否かを判定し、前記複数の入力スイッチが同時に押された状態が一定時間継続したと判定すると、前記記憶手段に記憶された内容が特殊運転運転コースの許可の指示を与えるデータである場合は、前記通常の運転コースとは別の特殊運転コースを運転する制御を行い、前記記憶手段に記憶された内容が特殊運転運転コースの禁止の指示を与えるデータである場合は、前記通常の運転コースを運転する制御を行うようにするとともに、通電状態において前記特殊運転コースを運転する制御で押す複数の入力スイッチとは別の組合せの複数の入力スイッチが同時に一定時間継続して押されたと判定した場合、前記記憶手段に記憶された前記特殊運転コースの許可、禁止の指示を与えるデータを、許可の場合は禁止に、禁止の場合は許可に書き換える制御を実行可能とした洗濯機の制御装置。
【請求項３】
制御手段は、記憶手段に記憶された特殊運転コースの許可、禁止の指示を与えるデータを、許可の場合は禁止に、禁止の場合は許可に書き換えた場合に、それぞれ異なった報知パターンで報知するように構成した請求項１または２に記載の洗濯機の制御装置。
【発明の詳細な説明】
【０００１】
【発明の属する技術分野】
本発明は、通常の運転コースとは別の特殊運転コースを備えた洗濯機の制御装置に関するものである。
【０００２】
【従来の技術】
近年、洗濯機の制御装置は、洗濯機の生産工場の各生産工程での品質チェックのために、通常の洗い、すすぎ、脱水の洗濯運転とは別の工場用特殊運転コースを有している。この工場用特殊運転コースは、生産工場での動作チェックのため、例えば、水なして撹拌翼が反転するとか、あるいは、洗濯槽の上方を開閉自在に覆う蓋体を開けても脱水動作が継続したままなどの通常の動作との相違点がある。
【０００３】
また、販売店の店頭での運転用として、洗濯槽に水が入ったまま洗濯槽を回転させ、「遠心力洗い」の実演を行うための、販売店用特殊運転コースも有している場合がある。この販売店用特殊運転コースでは、ユーザーに内容を見せるために、蓋体を開けた状態で洗濯槽が回転している。
【０００４】
このように、最近の洗濯機には通常の洗い、すすぎ、脱水の運転コースとは、別の特殊運転コースを有している場合が多い。この特殊運転コースは、操作部の入力スイッチの操作によって設定される場合がほとんどで、電源入りスイッチにより電源が供給されたときに、複数の入力スイッチが押されているかどうかを判断して、設定するようになっているものや、特許第２８５６７７０号公報のように、単に複数の入力スイッチの同時押しにより、設定するようになっているものもある。いずれにしても、入力スイッチの操作によって、比較的簡単に特殊運転コースの運転が可能であった。
【０００５】
【発明が解決しようとする課題】
しかしながら上記従来の制御装置では、入力スイッチの操作により比較的簡単に特殊運転コースの設定がされ、仮にそのまま運転されると、脱水中に蓋体を開けても運転動作が停止せず、使用者に危険を及ぼす事態になりかねなかった。また、このような特殊運転コースの設定方法はマニア向けの雑誌などにも紹介されており、従来のような簡単な入力操作による特殊運転コース設定では十分なプロテクトになっていないという問題を有していた。
【０００６】
本発明は上記従来の課題を解決するもので、一般の使用者が特殊運転コースを容易に運転できなくし、かつ、洗濯機の生産工場または販売店においてその特殊運転コースを使用する人にも、複雑な操作にならないようにすることを目的とする。
【０００７】
【課題を解決するための手段】
本発明は上記目的を達成するために、洗い、すすぎ、脱水の各運転時間等を設定する入力スイッチによって設定された内容を表示手段に表示するとともに、入力スイッチを受け付けたことを報知ブザーにより知らせ、制御手段により入力スイッチの設定内容に基づき洗い、すすぎ、脱水の一連の行程を逐次制御し、通常の運転コースとは別の特殊運転コースの許可、禁止の指示を与えるデータを記憶手段に記憶保持するよう構成し、制御手段は、電源を供給する電源入りスイッチにより通電された直後に複数の入力スイッチが同時に押されているか否かを判定し、複数の入力スイッチが同時に押されていると判定すると、記憶手段に記憶された内容が特殊運転運転コースの許可の指示を与えるデータである場合は、通常の運転コースとは別の特殊運転コースを運転する制御を行い、記憶手段に記憶された内容が特殊運転運転コースの禁止の指示を与えるデータである場合は、通常の運転コースを運転する制御を行うようにするとともに、通電状態において特殊運転コースを運転する制御で押す複数の入力スイッチとは別の組合せの複数の入力スイッチが同時に一定時間継続して押されたと判定した場合、記憶手段に記憶された特殊運転コースの許可、禁止の指示を与えるデータを、許可の場合は禁止に、禁止の場合は許可に書き換える制御を実行可能としたものである。
【０００８】
これにより、洗濯機の生産工場出荷時に記憶手段の特殊運転許可データを禁止データに書き換えておくことで、一般の使用者が特殊運転コースを容易に運転できないようにでき、かつ、洗濯機の生産工場または販売店においてその特殊運転コースを使用する人にも、複雑な操作にならないようにすることができる。
【０００９】
【発明の実施の形態】
本発明の請求項１に記載の発明は、洗い、すすぎ、脱水の各運転時間等を設定する入力スイッチと、この入力スイッチによって設定された内容を表示する表示手段と、前記入力スイッチを受け付けたことを知らせる報知ブザーと、電源を供給する電源入りスイッチと、前記入力スイッチの設定内容に基づき洗い、すすぎ、脱水の一連の行程を逐次制御する制御手段と、通常の運転コースとは別の特殊運転コースの許可、禁止の指示を与えるデータを記憶保持する記憶手段とを備え、前記制御手段は、前記電源入りスイッチにより通電された直後に複数の入力スイッチが同時に押されているか否かを判定し、前記複数の入力スイッチが同時に押されていると判定すると、前記記憶手段に記憶された内容が特殊運転運転コースの許可の指示を与えるデータである場合は、前記通常の運転コースとは別の特殊運転コースを運転する制御を行い、前記記憶手段に記憶された内容が特殊運転運転コースの禁止の指示を与えるデータである場合は、前記通常の運転コースを運転する制御を行うようにするとともに、通電状態において前記特殊運転コースを運転する制御で押す複数の入力スイッチとは別の組合せの複数の入力スイッチが同時に一定時間継続して押されたと判定した場合、前記記憶手段に記憶された前記特殊運転コースの許可、禁止の指示を与えるデータを、許可の場合は禁止に、禁止の場合は許可に書き換える制御を実行可能としたものであり、記憶手段の特殊運転コース許可データとスイッチ操作の両方の条件を満たさなければ特殊運転コースにならず、洗濯機の生産工場出荷時に記憶手段の特殊運転許可データを禁止データに書き換えておくことで、一般の使用者が特殊運転コースを容易に運転できないようにでき、かつ、洗濯機の生産工場または販売店においてその特殊運転コースを使用する人にも、複雑な操作にならないようにすることができる。
【００１０】
請求項２に記載の発明は、洗い、すすぎ、脱水の各運転時間等を設定する入力スイッチと、この入力スイッチによって設定された内容を表示する表示手段と、前記入力スイッチの受付けたことを知らせる報知ブザーと、電源を供給する電源入りスイッチと、前記入力スイッチの設定内容に基づき洗い、すすぎ、脱水の一連の行程を逐次制御する制御手段と、通常の運転コースとは別の特殊運転コースの許可、禁止の指示を与えるデータを記憶保持する記憶手段とを備え、前記制御手段は、通電状態において複数の入力スイッチが同時に押された状態が一定時間継続したか否かを判定し、前記複数の入力スイッチが同時に押された状態が一定時間継続したと判定すると、前記記憶手段に記憶された内容が特殊運転運転コースの許可の指示を与えるデータである場合は、前記通常の運転コースとは別の特殊運転コースを運転する制御を行い、前記記憶手段に記憶された内容が特殊運転運転コースの禁止の指示を与えるデータである場合は、前記通常の運転コースを運転する制御を行うようにするとともに、通電状態において前記特殊運転コースを運転する制御で押す複数の入力スイッチとは別の組合せの複数の入力スイッチが同時に一定時間継続して押されたと判定した場合、前記記憶手段に記憶された前記特殊運転コースの許可、禁止の指示を与えるデータを、許可の場合は禁止に、禁止の場合は許可に書き換える制御を実行可能としたものであり、上記請求項１と同様に、記憶手段の特殊運転コース許可データとスイッチ操作の両方の条件を満たさなければ特殊運転コースにならないが、スイッチ操作条件が若干緩くなっており、その分、特殊運転コースを使用する人の使い勝手を向上することができる。
【００１１】
請求項３に記載の発明は、上記請求項１または２に記載の発明において、制御手段は、記憶手段に記憶された特殊運転コースの許可、禁止の指示を与えるデータを、許可の場合は禁止に、禁止の場合は許可に書き換えた場合に、それぞれ異なった報知パターンで報知するように構成したものであり、特殊運転コースを使用する人がその場面で記憶手段に記憶された特殊運転コース許可、禁止データが、許可か禁止かのどちらになっているかを容易に識別することができる。
【００１２】
【実施例】
以下、本発明の実施例について、図面を参照しながら説明する。
【００１３】
（実施例１）
図２に示すように、洗濯兼脱水槽１は、底部に撹拌翼２を回転自在に設けている。クラッチ切換機構３は、減速機構を備え、モータ４の動力を洗濯時には減速して撹拌翼２に伝達し、脱水時には洗濯兼脱水槽１に伝達する。このときの撹拌翼２から洗濯兼脱水槽１への切り換え動作は排水ギヤードモータ５が兼用しており、排水ギヤードモータ５を駆動すると、水受け槽７内の水が洗濯機外に排水されるとともにクラッチ機構３が切り換わり、脱水運転が可能となる。
【００１４】
電磁給水弁６は洗濯兼脱水槽１および水受け槽７に水を供給する。水位検知手段８は水受け槽７の下部にある接続部の水圧を電気的な周波数に変換して水位を検知している。蓋体９は洗濯兼脱水槽１の上方を開閉自在に覆うもので、その先端部に磁石（図示せず）を取り付け、制御装置１０に設けた磁力を検知するホール素子等で構成される蓋開閉検知手段１１（図１参照）により蓋体９の開閉状態を検知するよう構成している。
【００１５】
制御装置１０は、モータ４、排水ギヤードモータ５、電磁給水弁６などの動作を制御し、一連の洗い、すすぎ、脱水の一連の行程を逐次制御すもので、図１に示すように構成している。
【００１６】
図１において、制御手段１２は通常ワンチップマイクロコンピュータなどで構成し、プログラムの一部として時間を計測するタイマーを内部に備えている。制御手段１２は、水位検知手段８および蓋開閉検知手段１１を入力として、予め制御手段１２に書き込まれたプログラムの手順に従い、双方向性サイリスタまたはリレーなどで構成したパワースイッチング手段１３を介して、モータ３、排水ギヤードモータ５、電磁給水弁６、供給された交流電源１４を保持する電源リレー１５などを制御する。なお、１６はモータ起動用コンデンサで、１７は交流電源１４を供給するための電源入りスイッチである。
【００１７】
記憶手段１８は電源が遮断されてもそのデータを保持している不揮発性メモリで、制御手段１２によりそのデータの読み出し、書き込みが行われる。入力スイッチ１９は、使用者が必要な設定コース、動作のスタートなどを入力するもので、制御手段１２に入力している。表示手段２０は、入力スイッチ１９による設定内容、運転終了までの残り時間などを表示する。報知ブザー２１は、入力スイッチ１９でスイッチを受け付けた確認音および運転終了時の終了報知などを行うものである。
【００１８】
入力スイッチ１９と表示手段２０は、図３に示すように構成しており、入力スイッチ１９は、洗い行程での異なる水位、洗い時間、すすぎ回数、脱水時間を有する「標準」コース、「スピーディー」コース、「毛布」コース、「ウール」コースなどを設定するコース設定スイッチ１９ａと、動作のスタート・一時停止を入力するスタート・一時停止スイッチ１９ｂと、水位、洗い時間、すすぎ回数、脱水時間をそれぞれ個別に設定する水位設定スイッチ１９ｃ、洗い時間設定スイッチ１９ｄ、すすぎ回数設定スイッチ１９ｅ、脱水時間設定スイッチ１９ｆと電源入りスイッチ１７と遮断する電源切りスイッチ１９ｇとで構成している。
【００１９】
表示手段２０は、コース設定スイッチ１９ａにより設定された行程と動作状態を表示する行程表示ランプ２０ａと、コース設定スイッチ１９ａにより設定されたコースを表示するコース表示ランプ２０ｂと、水位設定スイッチ１９ｃ、洗い時間設定スイッチ１９ｄ、すすぎ回数設定スイッチ１９ｅ、脱水時間設定スイッチ１９ｆなどにより個別に設定された水位、洗い時間、すすぎ回数、脱水時間を表示する水位表示ランプ２０ｃ、洗い時間表示ランプ２０ｄ、すすぎ回数表示ランプ２０ｅ、脱水時間表示ランプ２０ｆと、運転終了までの残時間を表示する残時間表示ランプ２０ｇとで構成している。
【００２０】
ここで、制御手段１２は、記憶手段１８に記憶された内容が特殊運転許可データであり、かつ、電源入りスイッチ１７により通電された直後に複数の入力スイッチ、たとえば、洗い時間設定スイッチ１９ｄ、脱水時間設定スイッチ１９ｆが同時に押された場合、通常の運転コースとは別の特殊運転コースを運転するように構成している。
【００２１】
上記構成において図４のフローチャートを参照しながら動作を説明する。使用者が洗濯機の運転を開始する場合、洗濯兼脱水槽１に洗濯物を投入し、電源入りスイッチ１７をオンすると、制御手段１２に通電され、制御手段１２の指示により電源リレー１５がオンし、使用者が電源入りスイッチ１７を指から離しても通電状態を保持する。そこで、通常は入力スイッチ１９で好みの「コース」等を選択し、スタート・一時停止スイッチ１９ｂを押す。これにより、洗濯動作が開始され、洗い、すすぎ、脱水の動作が順次実行される。
【００２２】
一方、洗濯機の生産工場では、通常の洗濯運転動作とは異なる特殊運転コースが運転される。特殊運転コースでは、水なしでも撹拌翼２を反転し、蓋体９が開いた状態でも脱水動作を継続する。
【００２３】
図４のフローチャートは電源入りスイッチ１７が押された直後のもので、まず、ステップ２１で電源リレー１５を駆動させ、通電状態を保持させる。つぎに、ステップ２２で特定の複数の入力スイッチ、すなわち、洗い時間設定スイッチ１９ｄ、脱水時間設定スイッチ１９ｆが同時に押されているかを判定する。同時に押されていなければステップ２３の通常運転コースの処理に移行する。
【００２４】
洗い時間設定スイッチ１９ｄと脱水時間設定スイッチ１９ｆが同時に押されていれば、ステップ２４に移行して電源が遮断されても内容を保持している不揮発性メモリで構成される記憶手段１８の特殊運転コースの許可、禁止データを読み出す。そこで、ステップ２５でこの特殊運転コース許可、禁止データが許可になっているかどうかを判定する。禁止になっていれば、ステップ２３の通常の運転コースの処理に移行する。
【００２５】
許可になっていれば、特殊運転コースを実行することになり、ステップ２６に移行する。ステップ２６以降は特殊運転コースの内容を簡単に示したもので、ステップ２６にて洗いモードであるかを判定し、洗いモード設定であれば、ステップ２７で水位検知手段８のデータに無関係にモータ３を正逆反転駆動する。また、洗いモード設定でなければ、ステップ２８にて脱水モード設定であるかを判定し、脱水モードであれば、ステップ２９で蓋開閉検知手段１１のデータに無関係に排水ギヤードモータ５とモータ３を駆動し、脱水運転を行う。
【００２６】
なお、ステップ２６以降は自動的に運転スタートになっているが、スタート・一時停止スイッチ１９ｂが押されるのを待って特殊運転コースの運転を行うようにしてもよい。
【００２７】
また、一旦ステップ２３の通常運転コース処理に移行した場合は、ステップ２２〜ステップ２９の処理は行わないものとする。すなわち、ステップ２２〜ステップ２９の処理は電源入りスイッチ１７が押されたときのみの処理とする。
【００２８】
（実施例２）
図１に示す制御手段１２は、記憶手段１８に記憶された内容が特殊運転許可データであり、かつ複数の入力スイッチ、たとえば、洗い時間設定スイッチ１９ｄと脱水時間設定スイッチ１９ｆが同時に押された状態が一定時間（たとえば、３秒間）継続した場合、通常の運転コースとは別の特殊運転コースを運転するように構成している。他の構成は上記実施例１と同じである。
【００２９】
上記構成において図５のフローチャートを参照しながら動作を説明する。図５のフローチャートは電源入りスイッチ１７が押された直後のもので、まず、ステップ３０で電源リレー１５を駆動し、通電状態を保持する。つぎに、ステップ３１で特定の複数の入力スイッチ、すなわち洗い時間設定スイッチ１９ｄと脱水時間設定スイッチ１９ｆが同時に押されているかを判定する。押されていなければステップ３２の通常運転コースの処理に移行する。
【００３０】
洗い時間設定スイッチ１９ｄと脱水時間設定スイッチ１９ｆが同時に押されていれば、ステップ３３に移行してこのスイッチの同時押しが一定時間（３秒間）連続しているかを判定する。３秒間連続していない場合は、ステップ３１に戻って洗い時間設定スイッチ１９ｄと脱水時間設定スイッチ１９ｆの同時オンの判定ルーチンを繰り返す。すなわち、洗い時間設定スイッチ１９ｄと脱水時間設定スイッチ１９ｆの同時オンが３秒間継続すれば、ステップ３４に移行することになり、それ以外であればステップ３２の通常の運転コース処理を行うことになる。
【００３１】
ステップ３４においては、電源が遮断されても内容を保持している不揮発性メモリで構成される記憶手段１８の特殊運転コースの許可、禁止データを読み出す。そこで、ステップ３５でこの特殊運転コース許可、禁止データが許可になっているかどうかを判定する。禁止になっていれば、ステップ３２の通常の運転コースの処理に移行し、許可になっていれば、特殊運転コースを実行することになり、ステップ３６に移行する。
【００３２】
ステップ３６以降は特殊運転コースの内容を簡単に示したもので、ステップ３６にて洗いモードであるかを判定し、洗いモード設定であれば、ステップ３７で水位検知手段８のデータに無関係にモータ３を正逆反転駆動する。また、洗いモード設定でなければ、ステップ３８にて脱水モード設定であるかを判定し、脱水モードであれば、ステップ３９で蓋開閉検知手段１１のデータに無関係に排水ギヤードモータ５とモータ３を駆動し、脱水運転を行う。
【００３３】
また、一旦ステップ３２の通常運転コース処理に移行した場合でも、ステップ３１、ステップ３３の判定処理は常時行うことになるので、通常の運転コースの実行中でもスイッチ操作により特殊運転コースを運転することができる。ただし、一般の使用者に対する特殊運転コースのプロテクトは実施例１のより若干甘くなる。
【００３４】
（実施例３）
図１に示す制御手段１２は、電源入りスイッチ１７を押したときに、複数の入力スイッチ、たとえば、脱水時間設定スイッチ１９ｆとコース設定スイッチ１９ａが同時に押された状態が一定時間（たとえば、３秒間）継続した場合に、記憶手段の中の特殊運転コースの許可、禁止データを許可の場合は禁止に書き換え、禁止の場合は許可に書き換えるように構成している。他の構成は上記実施例１または２と同じである。
【００３５】
上記構成において図６のフローチャートを参照しながら動作を説明する。図６のフローチャートは電源入りスイッチ１７が押された直後のもので、まず、ステップ４０で電源リレー１５を駆動し、通電状態を保持する。つぎに、ステップ４１で特定の複数の入力スイッチ、すなわち脱水時間設定スイッチ１９ｆとコース設定スイッチ１９ａが同時に押されているかを判定する。押されていなければステップ４２の通常運転コースの処理に移行する。
【００３６】
脱水時間設定スイッチ１９ｆとコース設定スイッチ１９ａが同時に押されていれば、ステップ４３に移行してこのスイッチの同時押しが一定時間（３秒間）連続しているかを判定する。３秒間連続していない場合は、ステップ４１に戻って脱水時間設定スイッチ１９ｆとコース設定スイッチ１９ａの同時オンの判定ルーチンを繰り返す。すなわち、脱水時間設定スイッチ１９ｆとコース設定スイッチ１９ａの同時オンが３秒間継続すれば、ステップ４４に移行することになり、それ以外であればステップ４２の通常の運転コース処理を行うことになる。
【００３７】
ステップ４４においては、電源が遮断されても内容を保持している不揮発性メモリで構成される記憶手段１８の特殊運転コースの許可、禁止データを読み出す。そこで、ステップ４５でこの特殊運転コース許可、禁止データが許可になっているかどうかを判定する。禁止になっていれば、ステップ４６にて許可に変更し、許可であればステップ４７で禁止に変更し、いずれの場合でもステップ４８でそのデータを記憶手段１８に書き込む。ステップ４８の処理を実行した後は、ステップ４２の通常の運転コースの処理に移行する。
【００３８】
これにより、生産工場などの特殊運転コースを使用する人が、ステップ４１、ステップ４３までのスイッチ操作を行えば、記憶手段１８の中の特殊運転コースの運転の許可、禁止データを交互に反転させ書き換えることができる。また、一旦ステップ４２の通常運転コース処理に移行した場合は、ステップ４１、ステップ４３の判定処理を行うことはないので、一般の使用者が記憶手段１８の中の特殊運転コースの許可、禁止データを書き換えることは難しいと考えられる。
【００３９】
なお、本実施例では、ステップ４１で、特定の２つのスイッチの同時オンとしたが、１つのスイッチでもかまわない。
【００４０】
（実施例４）
図１に示す制御手段１２は、記憶手段１８の中の特殊運転コースの許可、禁止データを許可の場合は禁止に書き換え、禁止の場合は許可に書き換えた場合に、それぞれ異なった報知パターンで報知ブザー２１により報知するように構成している。他の構成は上記実施例１または２と同じである。
【００４１】
上記構成において図７のフローチャートを参照しながら動作を説明する。図７のフローチャートは電源入りスイッチ１７が押された直後のもので、まず、ステップ４９で電源リレー１５を駆動し、通電状態を保持する。つぎに、ステップ５０で特定の複数の入力スイッチ、たとえば、脱水時間設定スイッチ１９ｆとコース設定スイッチ１９ａが同時に押されているかを判定する。押されていなければステップ５１の通常運転コースの処理に移行する。
【００４２】
脱水時間設定スイッチ１９ｆとコース設定スイッチ１９ａが同時に押されていれば、ステップ５２に移行してこのスイッチの同時押しが一定時間、たとえば３秒間連続しているかを判定する。３秒間連続していない場合は、ステップ５０に戻って、脱水時間設定スイッチ１９ｆとコース設定スイッチ１９ａの同時オンの判定ルーチンを繰り返す。すなわち、脱水時間設定スイッチ１９ｆとコース設定スイッチ１９ａの同時オンが３秒間継続すれば、ステップ５３に移行することになり、それ以外であればステップ５１の通常の運転コース処理を行うことになる。
【００４３】
ステップ５３においては電源が遮断されても内容を保持している不揮発性メモリで構成される記憶手段１８の特殊運転コースの許可、禁止データを読み出す。そこで、ステップ５４でこの特殊運転コース許可、禁止データが許可になっているかどうかを判定する。禁止になっていれば、ステップ５５にて許可に変更し、ステップ５６で報知ブザーを０．１秒オン０．１秒オフのパターンで４回吹鳴して報知する。
【００４４】
ステップ５４に戻って、許可であればステップ５７で禁止に変更し、ステップ５８で報知ブザーを０．１秒オン０．１秒オフのパターンで２回吹鳴して報知する。ステップ５６、ステップ５８のいずれの場合でもステップ５９でそのデータを記憶手段１８に書き込む。ステップ５９の処理を実行後は、ステップ５１の通常の運転コースの処理に移行する。
【００４５】
これにより、生産工場などの特殊運転コースを使用する人が、ステップ５０、ステップ５２までのスイッチ操作を行えば、記憶手段１８の中の特殊運転コースの運転の許可、禁止データを交互に反転させ書き換えることができる。その際、同時に現在の設定が許可、禁止のどちらになっているかを報知ブザー２１の吹鳴のオン、オフパターンで識別でき、特殊運転コースを使用する人の使い勝手を向上することができる。
【００４６】
（実施例５）
図１に示す制御手段１２は、通常の洗い、すすぎ、脱水の洗濯運転が終了した時点で、自動的に記憶手段１８の中の特殊運転コースの許可、禁止データを強制的に禁止に書き換えるように構成している。他の構成は上記実施例１または２と同じである。
【００４７】
上記構成において図８のフローチャートを参照しながら動作を説明する。図８のフローチャートは電源入りスイッチ１７が押された後の、通常運転コース処理でのもので、まず、ステップ６０でスタート・一時停止スイッチ１９ｂが押されるのを待って、ステップ６１からステップ６９までは、通常の洗い、すすぎ、脱水の行程を行うものであり、本発明の本質にかかわるものではないので、簡単な説明にとどめる。
【００４８】
ステップ６１では洗い行程を運転するように設定されているかどうかを判定し、設定されていれば、ステップ６２の洗い処理を行う。洗い処理は、給水と撹拌の行程とからなり、ステップ６３でこれらの処理が終了するまで継続する。洗い行程が終了すればステップ６４に移行する。
【００４９】
ステップ６１に戻って、洗い行程が設定されていない場合は、そのままステップ６４に移行し、すすぎ行程を運転するように設定されているかどうかを判定する。設定されていれば、ステップ６５のすすぎ処理を行う。すすぎ処理は、排水、脱水、惰性、給水、撹拌の行程からなり、ステップ６６でこれらの処理が終了するまで継続する。すすぎ行程が終了すればステップ６７に移行する。
【００５０】
ステップ６４に戻って、すすぎ行程が設定されていない場合は、そのままステップ６７に移行し、脱水行程を運転するように設定されているかどうかを判定する。設定されていれば、ステップ６８の脱水処理を行う。脱水処理は、排水、脱水、惰性の行程からなり、ステップ６９でこれらの処理が終了するまで継続する。脱水行程が終了すればステップ７０に移行する。
【００５１】
ステップ６７に戻って、脱水行程が設定されていない場合はステップ７０に移行する。ステップ７０以降の処理は通常運転コースの終了時の処理で、まずステップ７０にて、電源が遮断されても内容を保持している不揮発性メモリで構成される記憶手段１８の特殊運転コースの許可、禁止データを読み出す。
【００５２】
つぎに、ステップ７１でこの特殊運転コース許可、禁止データが許可、禁止のどちらになっていても禁止にする。さらに、ステップ７２でそのデータを記憶手段１８に書き込む。その後、ステップ７３で使用者に運転終了を報知するために報知ブザー２１を特定のパターンで吹鳴させる報知ブザー処理に移行する。ステップ７３の処理を実行後は、電源リレーをオフさせる電源オフ処理へ移行する。
【００５３】
ステップ７０からステップ７２の処理を行うことにより、１回でも通常運転コースを運転終了まで実行すれば記憶手段１８の中の特殊運転コース許可、禁止データが禁止に書き換わるので、以降一般の使用者が特殊運転コースを運転することを不可能にすることができる。
【００５４】
【発明の効果】
以上のように本発明の請求項１に記載の発明によれば、洗い、すすぎ、脱水の各運転時間等を設定する入力スイッチと、この入力スイッチによって設定された内容を表示する表示手段と、前記入力スイッチを受け付けたことを知らせる報知ブザーと、電源を供給する電源入りスイッチと、前記入力スイッチの設定内容に基づき洗い、すすぎ、脱水の一連の行程を逐次制御する制御手段と、通常の運転コースとは別の特殊運転コースの許可、禁止の指示を与えるデータを記憶保持する記憶手段とを備え、前記制御手段は、前記電源入りスイッチにより通電された直後に複数の入力スイッチが同時に押されているか否かを判定し、前記複数の入力スイッチが同時に押されていると判定すると、前記記憶手段に記憶された内容が特殊運転運転コースの許可の指示を与えるデータである場合は、前記通常の運転コースとは別の特殊運転コースを運転する制御を行い、前記記憶手段に記憶された内容が特殊運転運転コースの禁止の指示を与えるデータである場合は、前記通常の運転コースを運転する制御を行うようにするとともに、通電状態において前記特殊運転コースを運転する制御で押す複数の入力スイッチとは別の組合せの複数の入力スイッチが同時に一定時間継続して押されたと判定した場合、前記記憶手段に記憶された前記特殊運転コースの許可、禁止の指示を与えるデータを、許可の場合は禁止に、禁止の場合は許可に書き換える制御を実行可能としたから、記憶手段の特殊運転許可、禁止データが許可になっていなければ、スイッチ操作のみでは特殊運転コースを運転することができず、洗濯機の生産工場出荷時に記憶手段の特殊運転許可データを禁止データに書き換えておくことで、一般の使用者が誤って特殊運転コースを運転することをほとんど不可能にすることができ、かつ、洗濯機の生産工場または販売店においてその特殊運転コースを使用する人にも、複雑な操作にならないようにすることができる。
【００５５】
また、請求項２に記載の発明によれば、洗い、すすぎ、脱水の各運転時間等を設定する入力スイッチと、この入力スイッチによって設定された内容を表示する表示手段と、前記入力スイッチの受付けたことを知らせる報知ブザーと、電源を供給する電源入りスイッチと、前記入力スイッチの設定内容に基づき洗い、すすぎ、脱水の一連の行程を逐次制御する制御手段と、通常の運転コースとは別の特殊運転コースの許可、禁止の指示を与えるデータを記憶保持する記憶手段とを備え、前記制御手段は、通電状態において複数の入力スイッチが同時に押された状態が一定時間継続したか否かを判定し、前記複数の入力スイッチが同時に押された状態が一定時間継続したと判定すると、前記記憶手段に記憶された内容が特殊運転運転コースの許可の指示を与えるデータである場合は、前記通常の運転コースとは別の特殊運転コースを運転する制御を行い、前記記憶手段に記憶された内容が特殊運転運転コースの禁止の指示を与えるデータである場合は、前記通常の運転コースを運転する制御を行うようにするとともに、通電状態において前記特殊運転コースを運転する制御で押す複数の入力スイッチとは別の組合せの複数の入力スイッチが同時に一定時間継続して押されたと判定した場合、前記記憶手段に記憶された前記特殊運転コースの許可、禁止の指示を与えるデータを、許可の場合は禁止に、禁止の場合は許可に書き換える制御を実行可能としたから、上記請求項１と同様に、記憶手段の特殊運転許可、禁止データが許可になっていなければ、スイッチ操作のみでは特殊運転コースを運転することができず、洗濯機の生産工場出荷時に記憶手段の特殊運転許可データを禁止データに書き換えておくことで、一般の使用者が誤って特殊運転コースを運転することをほとんど不可能にすることができ、かつ、スイッチ操作条件が若干緩くなっているので、特殊運転コースを使用する人の使い勝手を向上することができる。
【００５６】
また、請求項３に記載の発明によれば、制御手段は、記憶手段に記憶された特殊運転コースの許可、禁止の指示を与えるデータを、許可の場合は禁止に、禁止の場合は許可に書き換えた場合に、それぞれ異なった報知パターンで報知するように構成したから、特殊運転コースを使用する人がその場面で記憶手段の中の特殊運転コース許可、禁止データが、許可か禁止のどちらになっているかを容易に識別することができる。
【図面の簡単な説明】
【図１】  本発明の第１の実施例の洗濯機の制御装置のブロック回路図
【図２】  同制御装置を備えた洗濯機の断面図
【図３】  同洗濯機の制御装置の入力スイッチおよび表示手段の正面図
【図４】  同洗濯機の制御装置の動作フローチャート
【図５】  本発明の第２の実施例の洗濯機の制御装置の動作フローチャート
【図６】  本発明の第３の実施例の洗濯機の制御装置の動作フローチャート
【図７】  本発明の第４の実施例の洗濯機の制御装置の動作フローチャート
【図８】  本発明の第５の実施例の洗濯機の制御装置の動作フローチャート
【符号の説明】
１２  制御手段
１７  電源入りスイッチ
１８  記憶手段
１９  入力スイッチ
２０  表示手段
２１  報知ブザー
【図１】
0003918570.tif 000002
【図２】
0003918570.tif 000003
【図３】
0003918570.tif 000004
【図４】
0003918570.tif 000005
【図５】
0003918570.tif 000006
【図６】
0003918570.tif 000007
【図７】
0003918570.tif 000008
【図８】
0003918570.tif 000009